(57)【要約】【課題】従来のカードとカードリーダとの関係を反対にした構造にすることにより、構造が簡単で安価で信頼性も高い出入管理システムを提供する。【解決手段】少なくとも１つの施設の出入管理を行う出入管理システムであって、各出入管理対象施設に該出入管理対象施設のＩＤ情報を格納した施設側固定制御装置１０５を固定設置すると共に、上記施設側固定制御装置からＩＤ情報を得て前もって記録されたＩＤ情報との照合判定を行い一致した場合には該施設側固定制御装置に解錠許可信号を送る持ち運び可能な可搬型照合判定装置と、を備えた出入管理システム。【選択図】図２
2006200230.tif 000002
【特許請求の範囲】
【請求項１】
少なくとも１つの施設の出入管理を行う出入管理システムであって、各出入管理対象施設に該出入管理対象施設のＩＤ情報を格納した施設側固定制御装置を固定設置すると共に、上記施設側固定制御装置からＩＤ情報を得て前もって記録されたＩＤ情報との照合判定を行い一致した場合には該施設側固定制御装置に解錠許可信号を送る持ち運び可能な可搬型照合判定装置と、を備えたことを特徴とする出入管理システム。
【請求項２】
上記可搬型照合判定装置が施設訪問者により持ち運ばれ、
該施設訪問者および訪問する出入管理対象施設のそれぞれのＩＤ情報が予め記録される記憶手段と、
該施設訪問者から施設訪問者のＩＤ情報を得る施設訪問者ＩＤ情報取得手段と、
上記施設側固定制御装置から出入管理対象施設のＩＤ情報を得る出入管理対象施設ＩＤ情報取得手段と、
上記記憶手段の施設訪問者のＩＤ情報と上記施設訪問者ＩＤ情報取得手段で得られた施設訪問者のＩＤ情報の照合判定を行う第１照合判定手段と、
上記第１照合判定手段でＩＤ情報が一致した場合に、上記記憶手段の出入管理対象施設のＩＤ情報と上記出入管理対象施設ＩＤ情報取得手段で得られた出入管理対象施設のＩＤ情報の照合判定を行い、ＩＤ情報が一致しかつ該一致が上記第１照合判定手段での一致後の所定時間内である時に、上記施設側固定制御装置に解錠許可信号を送る第２照合判定手段と、
を含むことを特徴とする請求項１に記載の出入管理システム。
【請求項３】
上記施設側固定制御装置が、
該出入管理対象施設のＩＤ情報を格納した記憶手段と、
上記可搬型照合判定装置からの要求に従って上記記憶手段のＩＤ情報を可搬型照合判定装置へ送るＩＤ情報提供手段と、
上記可搬型照合判定装置から上記解錠許可信号を受けた時に解錠信号を出力する解錠信号出力手段と、
を含むことを特徴とする請求項２に記載の出入管理システム。
【請求項４】
上記施設訪問者のＩＤ情報がバイオメトリクス情報のデータであることを特徴とする請求項２または３に記載の出入管理システム。
【請求項５】
上記可搬型照合判定装置が上記施設側固定制御装置への電力供給手段を含むことを特徴とする請求項１ないし４のいずれか１項に記載の出入管理システム。
【請求項６】
出入管理システムを統轄するセンターに設けられたセンター管理装置をさらに備え、上記センター管理装置が、
上記出入管理システムに係わる全ての上記施設訪問者のＩＤ情報と出入管理対象施設のＩＤ情報をデータベースに登録するＩＤ情報登録手段と、
上記データベースに登録されたＩＤ情報に基づき上記可搬型照合判定装置の記憶手段に入力指示に従ってＩＤ情報を記録する記録手段と、
を有することを特徴とする請求項２ないし５のいずれか１項に記載の出入管理システム。
【請求項７】
上記施設側固定制御装置が上記解錠許可信号を受けた時に該出入管理対象施設に設けられた電磁ロックに解錠信号を出力することを特徴とする請求項１ないし６のいずれか１項に記載の出入管理システム。
【請求項８】
上記電磁ロックが出入管理対象施設のゲートのキーを収納したキーボックスの蓋のロックのためのものであることを特徴とする請求項７に記載の出入管理システム。
【請求項９】
上記施設側固定制御装置が、上記可搬型照合判定装置に該出入管理対象施設のＩＤ情報を提供すると共に、上記解錠許可信号を受けた時に解錠信号を出力するＩＤカード又は携帯電話機能部で構成されていることを特徴とする請求項１に記載の出入管理システム。
【発明の詳細な説明】
【技術分野】
【０００１】
この発明は、カード等を利用して出入管理を行う出入管理システムに関する。
【背景技術】
【０００２】
この種の装置として従来、警備状態に設定されていないときにカードリーダから照合データが入力されるとデータ照合し、それが一致したときには、カードリーダに解錠許可信号を送信する照合装置を備えたものがある。さらに、照合装置間にマスタ／スレーブ関係を作ることで照合装置の複数接続を可能にし、記憶データが増加しても、従来の装置を用いたまま可能登録数を増やすことができる出入管理システムがある(例えば特許文献１参照)。
【０００３】
【特許文献１】特開２００１−２７９９６６号公報
【発明の開示】
【発明が解決しようとする課題】
【０００４】
例えば、広範囲に点在する多くの変電所や無線基地局にはそれぞれに出入口や内部に多くの鍵があるため、全体では非常に多くの鍵を管理する必要があり、大変手間がかかっていた。また、変電所や無線基地局に上述のようにカードリーダを設け、カードで出入管理する方法もあるが、設備が高価になり、またカードの管理に手間がかかっていた。さらに停電時の各カードリーダにおけるメモリバックアップ等も必要であり、さらに高価になる等の問題がある。
【０００５】
この発明は、従来のカードとカードリーダとの関係を反対にした構造にすることにより、構造が簡単で安価で信頼性も高い出入管理システムを提供することを目的とする。
【課題を解決するための手段】
【０００６】
この発明は、少なくとも１つの施設の出入管理を行う出入管理システムであって、各出入管理対象施設に該出入管理対象施設のＩＤ情報を格納した施設側固定制御装置を固定設置すると共に、上記施設側固定制御装置からＩＤ情報を得て前もって記録されたＩＤ情報との照合判定を行い一致した場合には該施設側固定制御装置に解錠許可信号を送る持ち運び可能な可搬型照合判定装置と、を備えたことを特徴とする出入管理システムにある。
【発明の効果】
【０００７】
この発明では、各出入管理対象施設と管理センターとの間にネットワークが不要であり、しかも従来のＩＤカード紛失等が生じることがなく、簡単で安価で信頼性の高い出入管理システムを提供できる。
【発明を実施するための最良の形態】
【０００８】
実施の形態１．
図１はこの発明の出入管理システムにおける変電所や無線基地局等からなる出入管理対象施設の構成の一例を示すもので、以下、例えば変電所として説明する。変電所１の建物(又は設備)１ａの周囲にはフェンス１ｂがあり、このフェンス１ｂにはゲート１ｃが設けられている。ゲート１ｃ付近にはこのゲートの錠(図示省略)を施解錠するためのキー(図２のＫ参照)を格納したキーボックス１００が設けられている。
【０００９】
また、図２はキーボックス１００の外観の一例を示す図、図３はこのキーボックス１００との間でＩＤ等の照合判定を無線通信で行う施設訪問者(例えば施設の保守を委託された保守員とする)が持ち歩く可搬型照合判定装置２００の外観の一例を示す図である。また、図４にはキーボックス１００の施設側固定制御装置１０５の部分の内部構成、図５には可搬型照合判定装置２００の内部構成、図６にはセンター管理装置３００の概略構成の一例をそれぞれ示す。
【００１０】
図２において、キーボックス１００は上部がキー収納部１０３、下部が施設側固定制御装置１０５になっており、キー収納部１０３にはフェンス１ｂの外側からキーＫが取り出せるように電磁ロック１０９を有する蓋１０１が設けられている。また下部の施設側固定制御装置１０５のフェンス１ｂの外側に面した部分には、可搬型照合判定装置２００と無線通信を行うための送受信用アンテナ１０７ａおよび可搬型照合判定装置２００から電力供給を受けるための電源用コネクタ１１１が取り付けられている。
【００１１】
図３において、可搬型照合判定装置２００にはキーボックス１００の施設側固定制御装置１０５と無線通信を行うための送受信用アンテナ２０１、施設側固定制御装置１０５に給電を行うための給電線２１７ａとこれの先端に取り付けられたコネクタ２１７、保守員の指紋を読み取るための指紋リーダ２０３、指紋データの一致を示す表示灯２２１、および本願のシステム全体を管理するセンターに設けられたセンター管理装置３００(図６参照)との間のデータの伝送をケーブル(図６のＣＢ)等を介して行う場合のデータ伝送用コネクタ２１９が取り付けられている。
【００１２】
また図４の施設側固定制御装置１０５において、ＣＰＵ１０７ｂは送受信用アンテナ１０７ａによりデータの送受を行うと共にＲＯＭ１０７ｃやＲＡＭ１０７ｄに格納されたプログラムやデータに従って所定の処理を行い、処理結果に従って電磁ロック１０９に解錠信号ＵＬを供給する。そして可搬型照合判定装置２００の電源用コネクタ２１７が電源用コネクタ１１１に接続されている間だけ、可搬型照合判定装置２００側からの電力供給を受けて動作可能となる。なお、送受信用アンテナ１０７ａ、制御装置のＣＰＵ１０７ｂ、ＲＯＭ１０７ｃ、ＲＡＭ１０７ｄの部分はこれらを一体に構成した非接触カード(ＩＤカード)１０７として構成してもよい。またＲＡＭ１０７ｄ等のためのデータ保持用バッテリ(図示省略)を設けていてもよい。
【００１３】
また図５の可搬型照合判定装置２００において、ＣＰＵ２０５は、指紋データを読み取る指紋リーダ２０３で得られた保守員の指紋データ、施設側固定制御装置１０５の送受信用アンテナ１０７ａとの間の電磁波による通信を行う送受信用アンテナ２０１で得られた施設側固定制御装置１０５からのデータ、およびデータ伝送用コネクタ２１９、伝送用インターフェース２１１を介した得られたセンター管理装置３００からのデータを利用して、ＲＯＭ２０７やＲＡＭ２０９に格納されたプログラムやデータに従って所定の処理制御を行う。また電池２１３により得られる定電圧電源２１５を電源とすると共に、この定電圧電源２１５からの電力を給電線２１７ａおよび電源用コネクタ２１７を介して施設側固定制御装置１０５に提供する。センター管理装置３００との間のデータ伝送は、例えばデータ伝送用コネクタ２１９にケーブル(図６のＣＢ)を接続して行う。なお、送受信用アンテナ２０１と送受信用アンテナ１０７ａは近距離通信用アンテナである。
【００１４】
また図６のセンター管理装置３００は、キーボックス１００が設置されている多数の変電所の出入管理を統轄して行うこの発明の出入管理システムの管理センターにあるコンピュータで構成されたものであり、表示装置３０１、入力装置３０３、指紋リーダ３０５、データベース３０７等が接続され、また可搬型照合判定装置２００との間でデータ伝送を行うためにケーブルＣＢが接続されるデータ伝送用コネクタ３０９を備える。
【００１５】
なお、可搬型照合判定装置２００のＲＡＭ２０９が記憶手段に相当し、指紋リーダ２０３および図７のステップＳ５が施設訪問者ＩＤ情報取得手段に相当し、送受信用アンテナ２０１および図７のステップＳ８，Ｓ９が出入管理対象施設ＩＤ情報取得手段に相当し、図７のステップＳ６，Ｓ７が第１照合判定手段に相当し、図７のステップＳ１０〜Ｓ２が第２照合判定手段に相当し、送受信用アンテナ２０１はこれらの手段のための情報通信手段に相当する。また、施設側固定制御装置１０５のＲＯＭ１０７ｃが記憶手段に相当し、送受信用アンテナ１０７ａおよび図７のステップＳ１４，Ｓ１５がＩＤ情報提供手段に相当し、図７のステップＳ１６，Ｓ１７が解錠信号出力手段に相当する。また、センター管理装置３００の入力装置３０３、指紋リーダ３０５、データベース３０７および図７のステップＳ１，Ｓ２がＩＤ情報登録手段に相当し、入力装置３０３および図７のステップＳ３，Ｓ４が記録手段に相当する。
【００１６】
図７にはセンター管理装置３００、可搬型照合判定装置２００およびキーボックス１００により構成されるこの発明による出入管理システムの一連の動作のフローチャートを示し、以下これに従って動作を説明する。なお、可搬型照合判定装置２００およびキーボックス１００は一般にはそれぞれ複数含まれるが、各可搬型照合判定装置２００およびキーボックス１００の動作は基本的にそれぞれ同様である。
【００１７】
センター管理装置３００では、まずこの出入管理システムに係わる全変電所と全保守員のＩＤ情報(以下ＩＤデータ)の初期登録を行い、データベース３０７に格納する(ステップＳ１、Ｓ２)。表示装置３０１でモニタしながら、入力装置３０３と指紋データを読み取る指紋リーダ３０５によりデータの読み取り、入力をおこない、データベース３０７に、例えば図８の(ａ)に示す各変電所番号に対応したＩＤデータ、(ｂ)に示す各保守員個人番号に対応した指紋データ(ＩＤデータ)が格納される。なお、各キーボックス１００の例えばＲＯＭ１０７ｃには図８の(ａ)に示したＩＤデータのそれぞれに対応するものが予め記録されている。
【００１８】
そして変電所に出動する際には、センター管理装置３００のあるセンターで、出動する保守員と出動先の変電所のそれぞれのＩＤデータを可搬型照合判定装置２００に記録する。データの記録は例えば、ケーブルＣＢでセンター管理装置３００と可搬型照合判定装置２００を接続し、入力装置３０３で変電所番号や保守員個人番号を入力すると、データベース３０７内に登録されている対応のそれぞれのＩＤデータが可搬型照合判定装置２００の例えばＲＡＭ２０９等に記録される(ステップＳ３、Ｓ４)。なお、ＲＡＭ２０９のデータは定電圧電源２１５で常に保持されている。
【００１９】
ＩＤデータが記録された可搬型照合判定装置２００を持って出動し、変電所に到着すると、まず可搬型照合判定装置２００の電源用コネクタ２１７をキーボックス１００の電源用コネクタ１１１に接続し、キーボックス１００に電力を供給して動作可能な状態にする(ステップＳ１３)。また一方で、可搬型照合判定装置２００の指紋リーダ２０３で保守員の指紋データを読み取る(ステップＳ５)。そしてＲＡＭ２０９に記録した指紋データと照合判定して一致すれば(ステップＳ６)、表示灯２２１を例えば点灯させて保守員に指紋データの一致を知らせる(ステップＳ７)。そして指紋データの一致が得られると、送受信用アンテナ２０１によりキーボックス１００に対して変電所のＩＤデータ送信の要求を行う(ステップＳ８)。
【００２０】
この状態ではキーボックス１００はすでに電力供給を受けてＩＤデータ送信要求の待ち受け状態にあり、送受信用アンテナ１０７ａで送信要求を受けると(ステップＳ１４)、ＲＯＭ１０７ｃに予め記録されている該変電所のＩＤデータを送信する(ステップＳ１５)。以降、可搬型照合判定装置２００とキーボックス１００の間のデータ伝送は双方の送受信用アンテナ２０１、２０１間で行われる。
【００２１】
可搬型照合判定装置２００では、変電所のＩＤデータを受けると(ステップＳ９)、ＲＡＭ２０９に記録した変電所のＩＤデータと照合判定して一致すれば(ステップＳ１０)、キーボックス１００に解錠許可信号を送信する(ステップＳ１２)。また、ステップＳ５で指紋データを読み取ってから所定時間が経過しても変電所のＩＤデータの一致が得られない場合には、そのまま動作を終了する(ステップＳ１１)。指紋データの照合後、所定時間内だけ変電所のＩＤデータの照合判別を許可することで、正規の保守員が現場にいることをチェックできる。
【００２２】
キーボックス１００では、可搬型照合判定装置２００から解錠許可信号を受けると(ステップＳ１６)、電磁ロック１０９に解錠信号を出力する(ステップＳ１７)。これにより電磁ロック１０９のロック状態が解除されて図２の蓋１０１が開放されて、中のキーＫを取り出して、このキーＫで変電所１内に入ることができる。電磁ロック１０９としては例えば、解錠信号でロック機構がコイル等の電磁力で開放位置にされ、保守員等により蓋１０１が閉められると、その力で機械的にロック機構がロック位置に戻される構造のものを使用する。
【００２３】
以上のような出入管理システムとすることで、各出入管理対象施設である変電所と管理センターのセンター管理装置との間にネットワークが不要であり、しかもカード紛失の処理も不要であり、さらにキーボックス１００が可搬型照合判定装置２００側から電力供給を受けるようにすれば、停電バックアップを考慮する必要がない。
【００２４】
なお上述の例では、説明を分かり易くするために可搬型照合判定装置２００に出動する１人の保守員のＩＤデータと出動先の１つの変電所のＩＤデータを記録した場合について説明したが、複数あるいは全ての保守員のＩＤデータと複数あるいは全ての出動先の変電所のＩＤデータを記録させるようにしてもよい。
【００２５】
また上述の例では、電磁ロック１０９がキーボックス１００の蓋１０１のためのものであったが、電磁ロック１０９が例えば図１の変電所１のゲート１ｃのロックのためのものであってもよい。その場合には図１のキーボックス１００は、下側の施設側固定制御装置１０５と電磁ロック１０９の部分があればよく、これらはゲート１ｃおよびその近傍に設けられる。
【００２６】
また上述の例では、可搬型照合判定装置２００からキーボックス１００側に電力供給を行っていたが、停電時等の特別な状況を除いてキーボックス１００の施設側固定制御装置１０５が変電所側から電力供給を受けるようにしてもよい。その場合、図４に破線で示すように電源回路ＰＳＣが設けられる。
【００２７】
また上述の例では、可搬型照合判定装置２００とキーボックス１００の間は送受信用アンテナ２０１、１０７ａを使用した電磁波による無線通信を行っているが、情報通信部として送受信用アンテナ２０１、１０７ａの代わりに、磁気カードや、電気的接触端子を備えたＩＣカードと同様の機構による情報通信部を双方に設けて使用してもよく、さらに発光用と受光用の光半導体素子を含む光による無線通信を行う情報通信部としてもよい。
【００２８】
また、可搬型照合判定装置２００における変電所のＩＤデータの照合判定後、キーボックス１００に解錠許可信号を送信する際、この解錠許可信号は重要な信号であるため、例えばキーボックス１００に図２と図４に破線で示すようにデータ伝送用コネクタＣＮを設け、可搬型照合判定装置２００のデータ伝送用コネクタ２１９とケーブル(図６に示すものと同様のもの)で接続して、ケーブルを介して解錠許可信号をキーボックス１００側に伝送するようにしてもよい。
【００２９】
また上述の例では、保守員のＩＤデータとして指紋データを使用したが、アイリス、網膜、顔形等、その他のバイオメトリック情報をＩＤデータとして使用してもよく、使用するＩＤデータの種類に従って可搬型照合判定装置２００の指紋リーダ２０３とセンター管理装置３００に接続された指紋リーダ３０５を変更すればよい。さらに単なる暗証番号としてもよく(その場合には可搬型照合判定装置２００にテンキーを設ける)、さらにはこれらを併用するようにしてもよい。
【００３０】
実施の形態２．
また、可搬型照合判定装置２００とキーボックス１００の間の情報通信部を携帯電話機能を利用したものとしてもよい。この場合のキーボックス１００の施設側固定制御装置１０５の部分の内部構成と可搬型照合判定装置２００の内部構成の一例を図９、図１０にそれぞれ示す。施設側固定制御装置１０５では、非接触カード１０７として構成され得る部分が携帯電話機能部１２０に置き換えられ、可搬型照合判定装置２００では、送受信用アンテナ２０１が携帯電話機能部２３０に置き換えられている。その他の部分は基本的に同様である。
【００３１】
そしてこの実施の形態では、変電所のＩＤデータとして携帯電話番号を使用する。従ってセンター管理装置３００のデータベース３０７(図８の(ａ))および可搬型照合判定装置２００のＲＡＭ２０９には変電所のＩＤデータとして携帯電話番号が登録又は記録される。そして可搬型照合判定装置２００での保守員のＩＤデータである例えば指紋データの照合と並行して、可搬型照合判定装置２００の電源用コネクタ２１７がキーボックス１００の電源用コネクタ１１１に接続されてキーボックス１００側が電源ＯＮ状態になると、携帯電話機能部１２０が自動的に予め定められた電話番号に電話を掛ける。この電話番号は例えば、本システムで使用される可搬型照合判定装置２００の携帯電話機能部２３０に共通に割り当てられたものとする。従ってその電話の通話(送信)先が可搬型照合判定装置２００の携帯電話機能部２３０になるので、可搬型照合判定装置２００では変電所から受けた電話の送信元の携帯電話番号とＲＡＭ２０９に記録されている携帯電話番号との照合を行い、一致すれば、解除許可信号として施設側固定制御装置１０５の携帯電話機能部１２０に返信する。そして携帯電話機能部１２０はこの返信を受けると解錠信号ＵＬへ出力する。このように携帯電話機能を利用して実施してもよい。
【００３２】
実施の形態３．
また、図１１に示すようにセンター管理装置３００および可搬型照合判定装置２００にそれぞれ長距離無線通信部３００Ａ、２００Ａを設けて、緊急時にはセンター管理装置３００から出動先の可搬型照合判定装置２００へ無線で、変電所や保守員のＩＤデータを伝送するようにしてもよい。
【図面の簡単な説明】
【００３３】
【図１】この発明の出入管理システムにおける出入管理対象施設の構成の一例を示す図である。
【図２】図１のキーボックスの外観の一例を示す図である。
【図３】図２のキーボックスとの間でＩＤ等の照合判定を無線通信で行う施設訪問者が持ち歩くこの発明の可搬型照合判定装置の外観の一例を示す図である。
【図４】図２のキーボックスの施設側固定制御装置の部分の内部構成の一例を示す図である。
【図５】図３の可搬型照合判定装置の内部構成の一例を示す図である。
【図６】この発明による出入管理システムのセンター管理装置の概略構成の一例を示す図である。
【図７】この発明による出入管理システムを構成するセンター管理装置、可搬型照合判定装置およびキーボックスの一連の動作を説明するためのフローチャートである。
【図８】この発明による出入管理システムのセンター管理装置に設けられたデータベース内のデータの一例を示す図である。
【図９】この発明の実施の形態２による出入管理システムのキーボックスの施設側固定制御装置の部分の内部構成の一例を示す図である。
【図１０】この発明の実施の形態２による出入管理システムの可搬型照合判定装置の内部構成の一例を示す図である。
【図１１】この発明の実施の形態３による出入管理システムにおけるセンター管理装置と可搬型照合判定装置の構成の一例を示す図である。
【符号の説明】
【００３４】
１  変電所、１ａ  建物(又は設備)、１ｂ  フェンス、１ｃ  ゲート、１００  キーボックス、１０１  蓋、１０３  キー収納部、１０５  施設側固定制御装置、１０７  非接触カード(ＩＤカード)、１０７ａ，２０１  送受信用アンテナ、１０７ｂ，２０５  ＣＰＵ、１０７ｃ，２０７  ＲＯＭ、１０７ｄ，２０９  ＲＡＭ、１０９  電磁ロック(電気錠)、１１１，２１７  電源用コネクタ、１２０，２３０  携帯電話機能部、２００  可搬型照合判定装置、２０３，３０５  指紋リーダ、２１１  伝送インターフェース、２１３  電池、２１５  定電圧電源、２１７ａ  給電線、２１９，３０９  データ伝送用コネクタ、２２１  表示灯、２００Ａ，３００Ａ  長距離無線通信部、３００  センター管理装置、３０１  表示装置、３０３  入力装置、３０７  データベース、ＣＢ  ケーブル、Ｋ  キー、ＰＳＣ  電源回路、ＣＮ  解錠許可信号用コネクタ。
【図１】
2006200230.tif 000003
【図２】
2006200230.tif 000004
【図３】
2006200230.tif 000005
【図４】
2006200230.tif 000006
【図５】
2006200230.tif 000007
【図６】
2006200230.tif 000008
【図７】
2006200230.tif 000009
【図８】
2006200230.tif 000010
【図９】
2006200230.tif 000011
【図１０】
2006200230.tif 000012
【図１１】
2006200230.tif 000013